(57)【要約】【課題】最後まで使用できる固形石鹸または石鹸同士を接続し、石鹸を最後まで使用するための部品および材料を提供することを目的とする。【解決手段】、固形石鹸の表面において、前記表面の少なくとも１面の一部に１つ以上の中央に凹部を形成した突起物を設けた固形石鹸を提供する。係る形状の突起物を設けることにより、小さくなった石鹸を前記突起物に押しつけることにより、前記突起物と前記小さくなった石鹸の間に真空状態を形成し、前記固形石鹸に前記小さくなった石鹸を吸着することが出来る。【選択図】図１
2004196843.tif 000002
【特許請求の範囲】
【請求項１】
固形石鹸の表面において、前記表面の少なくとも１面の一部に１つ以上の中央に凹部を形成した突起物を設けた固形石鹸。
【請求項２】
前記突起物は、円形、楕円、多重円、多角形またはこれらの組み合わせからなる請求項１記載の固形石鹸。
【請求項３】
前記突起物を設けた前記表面は、凸でない形状である請求項１または請求項２記載の固形石鹸。
【請求項４】
固形石鹸の内部に空間を設け、他の石鹸が挿入可能な開口部を設けた固形石鹸。
【請求項５】
固形石鹸同士を接続する部品であって、弾性を示すシートの両面に１つ以上の中央に凹部を形成した突起物を設けた固形石鹸接続部品。
【請求項６】
前記突起物は、円形、楕円、多重円、多角形またはこれらの組み合わせからなる請求項５記載の固形石鹸接続部品。
【請求項７】
固形石鹸と固形石鹸の少なくとも一方の表面に塗布して固形石鹸同士を接続する材料であって、前記材料が軟質性の石鹸からなる接続材料。
【発明の詳細な説明】
【０００１】
【発明の属する技術分野】
本発明は、浴用、洗顔用、あるいは洗濯用などに使用される固形石鹸の構造、石鹸同士を接続する部品および材料に関する。
【０００２】
【従来の技術】
従来から浴用、洗顔用、あるいは洗濯用などに使用されてきた固形石鹸は、使用しているうちに次第にすり減って薄く小さくなり、ときには割れたり、折れたりして更に小さくなる場合もあり、使いにくくなって捨てられてしまうという問題点があった。これに対し、最後まで使用できるようにした凹部形成固形石鹸が提案されている。（例えば、特許文献１参照。）
【０００３】
【特許文献１】
特開平０６−３３００９５号公報
【０００４】
【発明が解決しようとする課題】
しかし、前記特許文献においては、凹部形成固形石鹸の凹部に小さくなった石鹸を単に載置しているため、完全に接着することなく、使用時に剥離するおそれがあるという問題点がある。
本発明は、上記問題点に鑑みてなされたものであり、最後まで使用できる固形石鹸または固形石鹸同士を接続し、固形石鹸を最後まで使用するための部品および材料を提供することを目的とする。
【０００５】
【課題を解決するための手段】
上記目的を達成するために、発明者は、鋭意研究した結果、本願特許請求の範囲に記載した請求項１〜７の発明に至った。
請求項１記載の発明では、固形石鹸の表面において、前記表面の少なくとも１面の一部に１つ以上の中央に凹部を形成した突起物を設けた固形石鹸を提供する。
係る形状の突起物を固形石鹸に設けることにより、小さくなった石鹸を前記突起物に押しつけ、前記小さくなった石鹸と前記突起物に形成した凹部間で真空状態を形成し、前記小さくなった石鹸を前記固形石鹸に吸着することが出来る。
【０００６】
また、請求項２記載の発明では、前記突起物が円形、楕円、多重円、多角形またはこれらの組み合わせからなる請求項１記載の固形石鹸を提供する。形状は、デザイン等により適宜選択できるが、真空状態を形成しやすい円形および多重円がより好ましい。
【０００７】
また、請求項３記載の発明では、前記突起物を設けた前記表面は、凸でない形状である請求項１または請求項２記載の固形石鹸を提供する。小さくなった石鹸は、その使用方法によって異なるが、概略凸面状になっており、小さくなった石鹸を前記固形石鹸により的確に吸着させるためには、前記表面を凸でない形状にすることが好ましい。さらに、前記表面を凹状にすることにより、より効果を発揮する。
【０００８】
また、請求項４記載の発明では、固形石鹸の内部に空間を設け、他の石鹸が挿入可能な開口部を設けた固形石鹸を提供する。このような構造の固形石鹸は、小さくなった石鹸を内部に取り込み、一体化することにより、固形石鹸を無駄なく最後まで使用できる。
【０００９】
また、請求項５〜７記載の発明では、固形石鹸同士を接続する部品または材料を提供する。請求項５および６記載の発明は、弾性を示すシートの両面の一部に１つ以上の中央に凹部を形成した突起物を設けた固形石鹸接続部品であり、前記突起物は、円形、楕円、多重円、多角形またはこれの組み合わせからなる。
また、請求項７記載の発明は、固形石鹸と固形石鹸の少なくとも一方に塗布して固形石鹸同士を接続する材料であって、前記材料が軟質性の石鹸からなる接続材料を提供する。
前記部品または材料を用いて、固形石鹸同士接続することにより、固形石鹸を無駄なく最後まで使用できる。
【００１０】
【発明の実施の形態】
さらに本発明の形態を実施例にもとづき図面等を用いて詳細に説明する。
【００１１】
〔第１実施形態〕
図１は、固形石鹸１の表面において、前記表面の少なくとも１面の一部に１つ以上の中央に凹部を形成した突起物２を設けたものである。前記突起物２は、円形、楕円、多重円、多角形またはこれらの組み合わせからなるが、図１では円形例を示している。
前記突起物２を固形石鹸１の表面に形成する方法は、流し込み金型に突起の雌型を設け、固化する前の石鹸を流し込むことにより、容易に作製できる。
また、予め所定の形状に成形した固形石鹸を前記突起の雌型を持つ金型で型打ちすることによっても作製できる。
さらに、前記表面の少なくとも１面を、凸でない形状でにすることで、接合がより強固になる。なお、好ましくは前記表面を凹状に形成し、小さくなった石鹸の表面形状に近似させるのが良い。
【００１２】
〔第２実施形態〕
図２は、固形石鹸１の内部に空間３を設けた構造例である。固形石鹸１の内部に空間３を設ける手段としては、流し込み金型の上部に中子５を設けることにより、容易に作製することができる。また、シート状固形石鹸１を作製し、完全固化する前にロール状に巻くことにより、空間３を形成した固形石鹸１を作製できる。
また、石鹸をドーナツ状に押し出す、いわゆる押し出し成形方法によっても作製できる。
【００１３】
〔第３実施形態〕
図３ａは、固形石鹸同士を接続する部品４であって、弾性を示すシートの両面の一部に１つ以上の中央に凹部を形成した突起物２を設けた固形石鹸接続部品である。
部品４は、弾性を示す物質であればどのようなものでもかまわないが、浴用、洗顔用あるいは洗濯用に使用する場合に有用な効果を示す材料が好ましく、特に抗菌性を示す材料を配合した非水溶性のゴム状物質であり、さらに好ましくはシリコンゴムである。
なお、突起物２は、シートを形成する金型の表面に突起の雌型を設けることにより容易に作製できる。また、この部品４は、多数回使用できるので経済的である。
【００１４】
〔第４実施形態〕
第４の実施形態は、固形石鹸と固形石鹸の少なくとも一方に塗布して固形石鹸同士を接続する材料であって、前記材料が軟質性の石鹸からなることを特徴とする接続材料であり、軟質の石鹸からなる。
軟質の石鹸は、従来の固形石鹸にグリセリンまたはワセリンを添加し、練ることにより作製できる。なお、前記軟質石鹸は、チューブに保存することで、必要に応じ、押し出して使用することができる。
さらに、この接続材用は、石鹸として使用できるので経済的である。
【００１５】
なお、本発明は、前記の実施例の形態に限定されずに変形することができる。たとえば、石鹸同士を接続する部品については、シート状の石鹸の両表面に内部が窪んだ突起物を形成した部品が挙げられる。この部品は、石鹸同士を接続した後、一体化し最後まで使用することができる。
【００１６】
【発明の効果】
本発明は、以上説明したように構成されているので、以下に記載されような効果を奏する。
固形石鹸の表面において、前記表面の少なくとも１面の一部に１つ以上の中央に凹部を形成した突起物を設けたので、前記突起物に設けた凹部と前記小さくなった石鹸の間で、真空状態を形成し、前記小さくなった石鹸を強固に吸着でき、最後まで使用できる。
また、固形石鹸の内部に空間を設け、他の石鹸が挿入可能な開口部を設けたので、小さくなった石鹸を内部に挿入し、一体化することにより、最後まで使用できる。
固形石鹸同士を接続する部品または接続材料を使用し、固形石鹸同士を接着することにより、最後まで使用できる。
なお、接続部品は繰り返し使用できるので経済的である。
【図面の簡単な説明】
【図1】本発明の第１の形態を示す斜視図である。
【図２】本発明の第２の形態を示す斜視図である。
【図３】ａは本発明の第3の形態を示す部品の斜視図である。ｂは図３ａのＡ−Ａ線で切断した第３の形態を示す部品の断面図である。
【符号の説明】
１        固形石鹸
２        突起物質
３        空間
４        弾性体
５        中子
【図１】
2004196843.tif 000003
【図２】
2004196843.tif 000004
【図３】
2004196843.tif 000005